(57)【要約】【課題】建造物の検査結果を出力する新たな手段を提供する。【解決手段】建造物を示す画像上に建造物に対する検査の結果をマッピングした検査結果画像を出力する出力部１３と、表示される内容が互いに異なる検査結果画像の複数のパターンの中から１つを指定する入力を受付ける入力受付部１１と、建造物を複数の管理単位に分割し、管理単位毎に、検出された損傷各々の管理単位内における位置、損傷各々の種類、及び、損傷各々が広がるエリアの大きさの中の少なくとも１つを記録した検査の結果データを利用して、入力受付部１１が受付けたパターンの検査結果画像を作成する画像作成部１２と、を有し、出力部１３は、画像作成部１２が作成した検査結果画像を出力する検査結果出力装置１０を提供する。【選択図】図２
2016126769.tif 000002
【特許請求の範囲】
【請求項１】
建造物を示す画像上に前記建造物に対する検査の結果をマッピングした検査結果画像を出力する出力部と、
表示される内容が互いに異なる前記検査結果画像の複数のパターンの中から１つを指定する入力を受付ける入力受付部と、
前記建造物を複数の管理単位に分割し、前記管理単位毎に、検出された損傷各々の前記管理単位内における位置、前記損傷各々の種類、及び、前記損傷各々が広がるエリアの大きさの中の少なくとも１つを記録した前記検査の結果データを利用して、前記入力受付部が受付けた前記パターンの前記検査結果画像を作成する画像作成部と、
を有し、
前記出力部は、前記画像作成部が作成した前記検査結果画像を出力する検査結果出力装置。
【請求項２】
請求項１に記載の検査結果出力装置において、
前記画像作成部は、前記管理単位毎に、異なるタイミングで行われた複数の前記結果データを取得し、
前記検査結果画像の前記パターンの中には、前記検査の結果の時系列な変化を示す時系列変化パターンが含まれる検査結果出力装置。
【請求項３】
請求項１又は２に記載の検査結果出力装置において、
前記検査結果画像の前記パターンの中には、検出された前記損傷を検出された位置にマッピングするとともに、所定の条件を満たす前記損傷を強調表示する強調パターンが含まれる検査結果出力装置。
【請求項４】
請求項３に記載の検査結果出力装置において、
前記強調パターンは、所定の種類の前記損傷、又は、前記大きさが所定値以上である前記損傷を強調表示する検査結果出力装置。
【請求項５】
請求項３に記載の検査結果出力装置において、
前記画像作成部は、検出された前記損傷各々に対応付けて前記検査の後に所定の処置がなされたか否かを記録した情報をさらに取得し、
前記強調パターンは、前記所定の処置がなされていない前記損傷、又は、前記所定の処置がなされた前記損傷を強調表示する検査結果出力装置。
【請求項６】
請求項１から５のいずれか１項に記載の検査結果出力装置において、
前記画像作成部は、前記検査の後に所定の処置がなされた前記損傷に対応付けて前記所定の処置の内容を記録した情報をさらに取得し、
前記検査結果画像の前記パターンの中には、前記所定の処置がなされた前記損傷を検出された位置にマッピングするとともに、前記損傷各々に対する前記所定の処置の内容を表示する処置表示パターンが含まれる検査結果出力装置。
【請求項７】
請求項１又は２に記載の検査結果出力装置において、
前記検査結果画像の前記パターンの中には、検出された前記損傷の中の所定の条件を満たす前記損傷のみを、検出された位置にマッピングする特定損傷表示パターンが含まれる検査結果出力装置。
【請求項８】
請求項１から７のいずれか１項に記載の検査結果出力装置において、
前記検査結果画像の前記パターンの中には、複数の前記管理単位を互いに識別可能に表示し、所定の条件を満たす前記損傷が位置する前記管理単位を強調表示する管理単位強調パターンが含まれる検査結果出力装置。
【請求項９】
請求項１から８のいずれか１項に記載の検査結果出力装置において、
前記画像作成部は、検出された損傷各々の前記管理単位内における位置を前記管理単位内で左右反転させた前記検査結果画像を作成する検査結果出力装置。
【請求項１０】
コンピュータが、
建造物を示す画像上に前記建造物に対する検査の結果をマッピングした検査結果画像を出力する出力工程と、
表示される内容が互いに異なる前記検査結果画像の複数のパターンの中から１つを指定する入力を受付ける入力受付工程と、
前記建造物を複数の管理単位に分割し、前記管理単位毎に、検出された損傷各々の前記管理単位内における位置、前記損傷各々の種類、及び、前記損傷各々が広がるエリアの大きさの中の少なくとも１つを記録した前記検査の結果データを利用して、前記入力受付工程で受付けた前記パターンの前記検査結果画像を作成する画像作成工程と、
を実行し、
前記出力工程では、前記画像作成工程で作成した前記検査結果画像を出力する検査結果出力方法。
【請求項１１】
コンピュータを、
建造物を示す画像上に前記建造物に対する検査の結果をマッピングした検査結果画像を出力する出力手段、
表示される内容が互いに異なる前記検査結果画像の複数のパターンの中から１つを指定する入力を受付ける入力受付手段、
前記建造物を複数の管理単位に分割し、前記管理単位毎に、検出された損傷各々の前記管理単位内における位置、前記損傷各々の種類、及び、前記損傷各々が広がるエリアの大きさの中の少なくとも１つを記録した前記検査の結果データを利用して、前記入力受付手段が受付けた前記パターンの前記検査結果画像を作成する画像作成手段、
として機能させ、
前記出力手段に、前記画像作成手段が作成した前記検査結果画像を出力させるプログラム。
【発明の詳細な説明】
【技術分野】
【０００１】
本発明は、検査結果出力装置、検査結果出力方法、及び、プログラムに関する。
【背景技術】
【０００２】
本発明に関連する技術が、特許文献１に開示されている。特許文献１には、建造物に形成された欠陥の検査装置が開示されている。当該検査装置は、被検査物の所望の範囲を複数に分割して撮像した分割画像データを記憶する手段と、分割画像データ各々を表示するとともに、各画像に写っている欠陥の位置等を指定する入力を受付ける手段と、建造物を示す画像上に入力を受付けた欠陥をマッピングした画像を生成する手段と、を有する。
【先行技術文献】
【特許文献】
【０００３】
【特許文献１】特開２００４−３１８７９０号公報
【発明の概要】
【発明が解決しようとする課題】
【０００４】
特許文献１に記載の検査装置の場合、検査結果として、予め定まった１つのパターンの画像のみが出力される。当該出力手段は、検査結果を様々な視点から分析するユーザにとって、ユーザフレンドリーと言えない。本発明は、建造物の検査結果を出力する新たな手段を提供することを課題とする。
【課題を解決するための手段】
【０００５】
本発明によれば、
建造物を示す画像上に前記建造物に対する検査の結果をマッピングした検査結果画像を出力する出力部と、
表示される内容が互いに異なる前記検査結果画像の複数のパターンの中から１つを指定する入力を受付ける入力受付部と、
前記建造物を複数の管理単位に分割し、前記管理単位毎に、検出された損傷各々の前記管理単位内における位置、前記損傷各々の種類、及び、前記損傷各々が広がるエリアの大きさの中の少なくとも１つを記録した前記検査の結果データを利用して、前記入力受付部が受付けた前記パターンの前記検査結果画像を作成する画像作成部と、
を有し、
前記出力部は、前記画像作成部が作成した前記検査結果画像を出力する検査結果出力装置が提供される。
【０００６】
また、本発明によれば、
コンピュータが、
建造物を示す画像上に前記建造物に対する検査の結果をマッピングした検査結果画像を出力する出力工程と、
表示される内容が互いに異なる前記検査結果画像の複数のパターンの中から１つを指定する入力を受付ける入力受付工程と、
前記建造物を複数の管理単位に分割し、前記管理単位毎に、検出された損傷各々の前記管理単位内における位置、前記損傷各々の種類、及び、前記損傷各々が広がるエリアの大きさの中の少なくとも１つを記録した前記検査の結果データを利用して、前記入力受付工程で受付けた前記パターンの前記検査結果画像を作成する画像作成工程と、
を実行し、
前記出力工程では、前記画像作成工程で作成した前記検査結果画像を出力する検査結果出力方法が提供される。
【０００７】
また、本発明によれば、
コンピュータを、
建造物を示す画像上に前記建造物に対する検査の結果をマッピングした検査結果画像を出力する出力手段、
表示される内容が互いに異なる前記検査結果画像の複数のパターンの中から１つを指定する入力を受付ける入力受付手段、
前記建造物を複数の管理単位に分割し、前記管理単位毎に、検出された損傷各々の前記管理単位内における位置、前記損傷各々の種類、及び、前記損傷各々が広がるエリアの大きさの中の少なくとも１つを記録した前記検査の結果データを利用して、前記入力受付手段が受付けた前記パターンの前記検査結果画像を作成する画像作成手段、
として機能させ、
前記出力手段に、前記画像作成手段が作成した前記検査結果画像を出力させるプログラムが提供される。
【発明の効果】
【０００８】
本発明によれば、建造物の検査結果を出力する新たな手段が実現される。
【図面の簡単な説明】
【０００９】
【図１】本実施形態の装置のハードウエア構成の一例を概念的に示す図である。
【図２】本実施形態の検査結果出力装置の機能ブロック図の一例を示す図である。
【図３】本実施形態の検査結果出力装置の機能ブロック図の一例を示す図である。
【図４】建造物を複数の管理単位に分割する例を説明するための図である。
【図５】建造物を複数の管理単位に分割する例を説明するための図である。
【図６】検査結果記憶部が記憶する結果データの一例を模式的に示す図である。
【図７】検査結果記憶部が記憶する属性情報の一例を模式的に示す図である。
【図８】検査結果記憶部が記憶する属性情報の一例を模式的に示す図である。
【図９】検査結果画像の一例を模式的に示す図である。
【図１０】検査結果画像の一例を模式的に示す図である。
【図１１】検査結果画像の一例を模式的に示す図である。
【図１２】検査結果画像の一例を模式的に示す図である。
【図１３】検査結果画像の一例を模式的に示す図である。
【図１４】検査結果記憶部が記憶する結果データの一例を模式的に示す図である。
【図１５】検査結果画像の一例を模式的に示す図である。
【図１６】検査結果画像の一例を模式的に示す図である。
【図１７】検査結果画像の一例を模式的に示す図である。
【発明を実施するための形態】
【００１０】
まず、本実施形態の装置のハードウエア構成の一例について説明する。本実施形態の装置が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００１１】
図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。
【００１２】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００１３】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／又は無線で、インターネット、ＬＡＮ（Local Area Network）等のネットワークに接続し、他の電子機器と通信する。
【００１４】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００１５】
＜第１の実施形態＞
本実施形態の検査結果出力装置１０は、建造物を示す画像上に当該建造物に対する検査の結果をマッピングした検査結果画像を、様々な（表示）パターンで出力することができる。以下、詳細に説明する。
【００１６】
図２に、本実施形態の検査結果出力装置１０の機能ブロック図の一例を示す。図示するように、検査結果出力装置１０は、入力受付部１１と、画像作成部１２と、出力部１３と、検査結果記憶部２１とを有する。
【００１７】
図３に、本実施形態の検査結果出力装置１０の機能ブロック図の他の一例を示す。図示するように、検査結果出力装置１０は、入力受付部１１と、画像作成部１２と、出力部１３とを有する。そして、画像作成部１２は、外部装置２０に備えられた検査結果記憶部２１から所定の情報を取得するように構成されている。外部装置２０は、以下で説明する検査の結果データを記憶するための記憶容量と、記憶している結果データを有線及び／又は無線での通信により検査結果出力装置１０に送信するための手段とを備えている。
【００１８】
以下、各部について詳細に説明する。
【００１９】
検査結果記憶部２１は、建造物を複数の管理単位に分割し、管理単位毎に検査の結果データを記憶する。検査の結果データは、検出された損傷各々の管理単位内における位置、損傷各々の種類、及び、損傷各々が広がるエリアの大きさの中の少なくとも１つを記録している。検査結果記憶部２１は、不揮発性記憶装置である。
【００２０】
建造物の種類は特段制限されず、橋梁、トンネル、ビルディング、駅のホーム等、あらゆる建造物が該当する。
【００２１】
このような大きい建造物の場合、建造物を複数の管理単位に分割し、管理単位毎に検査の結果を管理するのが望ましい。建造物を複数の管理単位に分割する手段は様々であり、任意の設計的事項である。例えば、建造物の外観に現れる特徴を利用して、建造物を複数の管理単位に分割してもよい。以下、一例を説明する。
【００２２】
図４に、橋梁の裏側の一部の外観模式図を示す。図中、上下方向が、橋梁の延在方向である。図示するように、橋梁の裏側には、橋梁の強度を高める等の目的で、格子状の補強部材（部材Ａ）が設けられる。この部材Ａにより、橋梁は長方形の複数のエリアに分割されている。例えば、部材Ａにより分割された複数の長方形のエリア各々を、管理単位Ｂとすることができる。結果、図５に示すように、橋梁を複数の管理単位Ｂに分割することができる。図５は、橋梁の一部を示しており、図中、上下方向が、橋梁の延在方向である。図５では、各管理単位Ｂに識別番号（Ｂ○○○）が付されている。
【００２３】
なお、ここでは、補強部材を用いて複数の管理単位に分割する例を説明したが、その他、建造物の表面に塗料等で描かれた模様など、あらゆる外観上の特徴を利用することができる。また、外観上の特徴を利用せず、建造物を所定の規則性で分割してもよい。
【００２４】
図６に、検査結果記憶部２１が記憶する結果データの一例を模式的に示す。図６は、結果データＩＤ「○○○○○」の結果データである。結果データＩＤは、検査日、検査者、検査方法、検査対象の建造物等が互いに異なる複数の検査各々で得られる複数の結果データ各々を識別するための情報である。
【００２５】
例えば、検査結果記憶部２１は、図７に示すような属性情報をさらに記憶していてもよい。図７に示す属性情報では、結果データＩＤに対応付けて、当該結果データを得るための検査を行った検査日、当該検査を行った検査者、検査日の天気、検査日の気温、検査方法、検査対象の建造物の識別情報である建造物ＩＤ等が記録されている。検査方法は、図示する打音検査の他、現場で建造物の外観を観察する外観検査や、現場で撮影された建造物の撮影画像に基づいて外観を分析する画像検査、レーザ光を用いるレーザ検査等が考えられるが、これらに限定されない。なお、他の属性情報がさらに記録されていてもよい。当該情報によれば、図６に示す結果データに関する属性を把握することができる。
【００２６】
ここで、図６に戻って結果データを説明する。当該結果データにおいては、管理単位ＩＤ、損傷ＩＤ、位置、大きさ及び種類が互いに対応付けられている。管理単位ＩＤは、建造物を分割して得られた複数の管理単位各々を識別するための情報である。損傷ＩＤは、各管理単位において検出された損傷各々を識別するための情報である。位置は、各管理単位における各損傷の位置を示す情報である。当該位置情報は、例えば、各管理単位内の所定の基準位置（例：図５の場合、左上の頂点）からの相対位置情報で示されてもよい。
【００２７】
大きさは、各損傷が広がるエリアの大きさを示す情報である。当該情報は、例えば、面積であってもよい。または、「大、中、小」、「５、４、３、２、１」等のように複数レベルに分けて当該指標で示したものであってもよいし、又は、損傷エリアを四角形で近似し、「縦○○ｍ、横××ｍ」のように四角形の大きさで示したものであってもよい。
【００２８】
種類は、損傷の種類を示す情報である。損傷種類としては、例えば、ひびわれ、剥離、鉄筋露出、遊離石灰、漏水、塗装剥がれ等が考えられるが、これらに限定されない。
【００２９】
ところで、建造物が大きい場合、当該建造物に対する検査を１日で終わらすことができず、複数日に跨って検査が行われる可能性がある。このような場合、１つの建造物に対応して、各検査日に対応した複数の結果データが得られる。そして、図８に示すように、複数の結果データ各々に対応した複数の属性データが得られる。
【００３０】
出力部１３は、建造物を示す画像上に、建造物に対する検査の結果をマッピングした検査結果画像を出力する。出力部１３は、以下で説明する画像作成部１２が作成した検査結果画像を出力する。建造物を示す画像は、建造物を描いた図であってもよいし、建造物を撮影した写真であってもよい。検査結果画像の詳細は、以下で説明する。
【００３１】
出力部１３は、ディスプレイ５Ａに検査結果画像を出力してもよいし、又は、プリンター、メーラー等の出力装置を介して、検査結果画像を出力してもよい。
【００３２】
入力受付部１１は、表示される内容が互いに異なる検査結果画像の複数のパターンの中から１つを指定する入力を受付ける。入力受付部１１は、任意のユーザインタフェイス画面から、１つのパターンを指定する入力を受付けることができる。
【００３３】
画像作成部１２は、検査結果記憶部２１が記憶する結果データ（図６参照）を利用して、入力受付部１１が受付けたパターンの検査結果画像を作成する。
【００３４】
ここで、検査結果画像の複数のパターンについて説明する。例えば、検査結果画像のパターンの中には、検出された損傷を検出された位置にマッピングするとともに、所定の条件を満たす損傷を強調表示する「強調パターン」が含まれてもよい。強調パターンでは、所定の種類の損傷、又は、大きさが所定値以上である損傷を強調表示してもよい。
【００３５】
例えば、入力受付部１１は、強調表示する損傷を指定する入力をユーザから受付けてもよい。そして、画像作成部１２は、指定された損傷を強調表示した強調パターンの検査結果画像を作成してもよい。
【００３６】
図９に、強調パターンの検査結果画像の一例を示す。ウインドウ１００内に、検査結果画像１１０と、付加画像１２０とが表示されている。建造物は橋梁である。
【００３７】
付加画像１２０は、橋梁を模した図と、橋梁内の一部を特定する枠１２１とを含む。枠１２１で囲まれた部分の検査結果が、検査結果画像１１０で示されている。橋梁の図の両端には、各端を識別する情報として、各端が位置する町名が示されている。町名に代えて、東西南北等の他の情報を付してもよい。枠１２１の両端には、「上」及び「下」の情報が付されている。当該情報は、検査結果画像１１０の両端に示されている「上」及び「下」と対応している。
【００３８】
図示する検査結果画像１１０は、建造物の一部を示す模式画像を含む。当該模式画像は、上述した図５の画像に対応している。当該模式画像では、複数の管理単位が互いに識別可能に分けて示されている。
【００３９】
当該模式画像上には、結果データがマッピングされている。具体的には、損傷が検出された位置から延びる引き出し線により、損傷が検出された位置を示している。そして、当該引き出し線に対応付けて、管理単位ＩＤ、損傷の種類、及び、損傷の大きさが示されている。
【００４０】
また、図９に示す例では、所定の種類の損傷、具体的には「剥離」のみを強調表示１１１している。強調表示の手法としては、点滅させる、他の剥離と異なる色で表示する、他の剥離を暗転表示し、強調対象のみを明るく表示する等が考えられるが、これらに限定されない。
【００４１】
図１０に、強調パターンの検査結果画像の他の一例を示す。当該例では、広がるエリアの大きさが所定値以上（１．０ｍ２以上）である損傷を強調表示している。また、当該例では、損傷が検出された位置に、所定のマークを配置している。そして、損傷の種類に応じて、当該マークの形状を変えている。すなわち、マークの形状により、損傷の種類を示している。その他の構成は、図９に示す検査結果画像と同様である。
【００４２】
図１１に、検査結果画像の他のパターン、具体的には「特定損傷表示パターン」を示す。上述した強調パターンでは、所定の条件を満たす損傷を強調表示した。これに対し、特定損傷表示パターンでは、検出された損傷の中の所定の条件を満たす損傷のみを、検出された位置にマッピングする。図１１では、所定の種類の損傷、具体的には「剥離」のみをマッピングし、図９で示されていたひびわれや鉄筋露出等の他の損傷は非表示となっている。
【００４３】
なお、図１２に示すように、検査結果画像１１０において示されている損傷の１つを指定する入力をユーザから受付けると、当該損傷に関する付加情報１１２が表示されてもよい。付加情報１１２は、図７及び図８に示す属性情報を利用して生成される。当該表示は、検査結果画像のいずれのパターンにおいても適用可能である。
【００４４】
以上説明した本実施形態によれば、建造物を示す画像上に当該建造物に対する検査の結果をマッピングした検査結果画像を、様々な（表示）パターンで出力することができる。このため、ユーザは、これから行う分析に適したパターンの検査結果画像を出力させて分析を行うことができる。結果、分析の精度向上、作業効率の向上等の効果が得られる。
【００４５】
例えば、ユーザは、所定の種類の損傷又は所定の大きさ以上の損傷の有無、位置、数、密集度等を分析する際、当該損傷を強調表示した検査結果画像や、当該損傷のみをマッピングした検査結果画像を出力させ、分析を行うことができる。当該検査結果画像では、当該分析に不要な損傷が非表示になっていたり、また、暗転表示などで目立たなくなっていたりする。このため、ユーザは、分析に必要な損傷を容易かつ正確に抽出し、分析を行うことができる。
【００４６】
また、本実施形態によれば、図１２に示すように、各損傷に対応付けて、当該損傷を検出した際の検査の属性情報を表示することができる。このため、ユーザは、検査日、検査者、当日の天気、気温、検査方法等の属性情報を容易に把握することができる。
【００４７】
ところで、検査対象の建造物の「裏面側」から所定の検査を行い図６に示すような結果データを生成する一方で、建造物の「表面側」から見た図上に損傷位置をマッピングすることを希望する場合がある。例えば、建造物が橋梁である場合、橋梁の裏面側から打音検査を行い図６に示すような結果データを生成する一方で、橋梁の表面側から見た図上に損傷位置をマッピングすることを希望する場合がある。
【００４８】
上述の通り、結果データにおける損傷の位置情報は、例えば、各管理単位内の所定の基準位置（例：図５の場合、左上の頂点）からの相対位置情報で示される。この相対位置情報は、検査時の視点、すなわち裏面側から管理単位を観察している条件下のものとなり得る。このような結果データを用いて、建造物の表面側から見た図上に損傷位置をマッピングするには、所定の補正処理が必要になる。
【００４９】
そこで、画像作成部１２は、検査結果画像を作成する処理において、所定の補正処理を行ってもよい（以下のすべての実施形態において同様）。補正処理は、各管理単位内における損傷位置を各管理単位内で左右反転できるものであればよく、具体的な処理内容は特段制限されない。なお、当然、建造物の「表面側」から見た図上に損傷位置をマッピングした図と、建造物の「裏面側」から見た図上に損傷位置をマッピングした図とでは、管理単位の位置も左右反転することになる。
【００５０】
＜第２の実施形態＞
本実施形態の検査結果出力装置１０は、検査の結果の時系列な変化を示す時系列変化パターンの検査結果画像を出力することができる。
【００５１】
本実施形態の検査結果出力装置１０の機能ブロック図の一例は、第１の実施形態と同様、図２又は図３で示される。入力受付部１１及び出力部１３の構成は第１の実施形態と同様である。
【００５２】
検査結果記憶部２１は、管理単位毎に、異なるタイミングで行われた複数の結果データを記憶している。その他の構成は、第１の実施形態と同様である。
【００５３】
建造物に対する検査は、当該建造物が存在する限り、所定の時間間隔で繰り返し行われる。検査の都度、図６に示すような結果データが生成され、検査結果記憶部２１に蓄積されていく。また、図７及び図８に示すような属性情報が生成され、検査結果記憶部２１に蓄積されていく。
【００５４】
画像作成部１２は、検査結果記憶部２１から、管理単位毎に、異なるタイミングで行われた複数の結果データを取得する。そして、画像作成部１２は、当該結果データを利用して、検査の結果の時系列な変化を示す時系列変化パターンの検査結果画像を作成する。その他の構成は、第１の実施形態と同様である。
【００５５】
図１３に、時系列変化パターンの検査結果画像の一例を示す。図１３に示す検査結果画像１１０においては、建造物を示す画像、具体的には枠１２１で特定される部分の画像が２つ表示されている。そして、各画像に、異なるタイミングで行われた２つの結果データ各々がマッピングされている。各画像には、検査日が対応付けられている。
【００５６】
他の例として、スライドショー形式で、複数の結果データを順次表示してもよい。また、時系列変化パターンでは、図１３に示すように複数の管理単位を含むグループ単位で結果の時系列な変化を示すのでなく、管理単位毎に結果の時系列な変化を示してもよい。
【００５７】
ところで、本実施形態のように、管理単位毎に、異なるタイミングで行われた複数の結果データを取得した場合、画像作成部１２は、その他のパターン（強調パターン等）の検査結果画像を作成する際、最新の結果データを利用してもよい。または、画像作成部１２は、ユーザが指定した日付よりも古い結果データの中の最新の結果データを利用して、その他のパターン（強調パターン等）の検査結果画像を作成してもよい。
【００５８】
なお、本実施形態の検査結果出力装置１０は、時系列変化パターンと、強調パターン又は特定損傷表示パターンとを組み合わせたパターンの検査結果画像を出力できてもよい。時系列変化パターンと強調パターンとを組み合わせたパターンにおいては、所定の損傷を強調表示するとともに、検査の結果の時系列な変化が示される。時系列変化パターンと特定損傷表示パターンとを組み合わせたパターンにおいては、所定の損傷のみをマッピングするとともに、当該所定の損傷に関する検査の結果の時系列な変化が示される。
【００５９】
以上説明した本実施形態によれば、第１の実施形態と同様な作用効果を実現することができる。
【００６０】
また、本実施形態で説明した時系列変化パターンによれば、ユーザは、検査結果の時系列な変化を容易に把握することができる。結果、劣化や損傷の進み具合や、前回検査では検出されていなかった損傷の新たな発現などを容易に把握することができる。
【００６１】
＜第３の実施形態＞
本実施形態の検査結果出力装置１０は、検査の後に所定の処置がなされた損傷又は所定の処置がなされていない損傷を強調表示したり（強調パターン）、当該損傷のみを表示したり（特定損傷表示パターン）できる。また、本実施形態の検査結果出力装置１０は、所定の処置がなされた損傷に対応付けて当該処置の内容を示した検査結果画像（処置表示パターン）を出力することができる。
【００６２】
本実施形態の検査結果出力装置１０の機能ブロック図の一例は、第１及び第２の実施形態と同様、図２又は図３で示される。入力受付部１１及び出力部１３の構成は第１及び第２の実施形態と同様である。
【００６３】
検査結果記憶部２１は、検出された損傷各々に対応付けて検査の後に所定の処置がなされたか否かを記録した処置有無情報を記憶する。検査結果記憶部２１は、処置有無情報に加えて、又は代えて、検査の後に所定の処置がなされた損傷に対応付けて所定の処置の内容を記録した処置内容情報をさらに記憶してもよい。検査結果記憶部２１のその他の構成は、第１及び第２の実施形態と同様である。
【００６４】
所定の処置の内容は特段制限されないが、例えば、補修、放置等が考えられる。
【００６５】
図１４に、検査結果記憶部２１が記憶する情報の一例を模式的に示す。図６に示す情報と比較すると、各損傷に処置有無（処置有無情報）、及び、処置内容（処置内容情報）がさらに対応付けられている点で異なる。処置有無の欄には、検査で検出された後に所定の処置がなされたか否かを示す情報が記録される。図１４の例の場合、チェックマークの入っている損傷が、処置済みの損傷である。処置内容の欄には、行われた処置の内容（補修、放置等）が記録される。
【００６６】
例えば、ユーザは、所定の検査結果画像を閲覧し、所定の処置を行う損傷及び所定の処置の内容を決定する。そして、決定した所定の処置を行った後、検査結果記憶部２１に記憶されている結果データにアクセスし、内容を更新する。具体的には、所定の処置を行った損傷に対応付けて、所定の処置を行ったことを示す情報の記録、及び、所定の処置の内容を示す情報の記録を行う。
【００６７】
画像作成部１２は、処置有無情報及び処置内容情報の少なくとも一方を検査結果記憶部２１からさらに取得する。
【００６８】
画像作成部１２は、例えば、所定の処置がなされていない損傷、又は、所定の処置がなされた損傷を強調表示した強調パターンの検査結果画像を作成することができる。また、画像作成部１２は、所定の処置がなされていない損傷、又は、所定の処置がなされた損傷のみをマッピングした特定損傷表示パターンの検査結果画像を作成することができる。また、画像作成部１２は、例えば、所定の処置がなされた損傷を検出された位置にマッピングするとともに、損傷各々に対する所定の処置の内容を表示した処置表示パターンの検査結果画像を作成することができる。処置表示パターンでは、所定の処置がなされていない損傷に対して、未処理である旨が示されてもよい。
【００６９】
また、画像作成部１２は、ここまで説明してきた複数のパターン（時系列変化パターン、強調パターン、特定損傷表示パターン、処置表示パターン）を任意の組み合わせで組み合わせたパターンの検査結果画像を作成してもよい。
【００７０】
画像作成部１２のその他の構成は、第１及び第２の実施形態と同様である。
【００７１】
図１５に、強調パターンと処置表示パターンとを組み合わせた検査結果画像の一例を模式的に示す。当該例では、所定の処置がなされた損傷を強調表示１１１している。また、所定の処置の内容が示されている。
【００７２】
図１６に、特定損傷表示パターンと処置表示パターンとを組み合わせた検査結果画像の一例を模式的に示す。当該例では、所定の処置がなされていない損傷のみをマッピングしている。そして、これらの損傷が未処理である旨が示されている。
【００７３】
以上説明した本実施形態によれば、第１及び第２の実施形態と同様の作用効果を実現できる。
【００７４】
また、本実施形態で説明した強調パターン及び特定損傷表示パターンによれば、ユーザは、検査で検出された複数の損傷の中から、所定の処置済みの損傷、又は、未処理の損傷を容易に特定することができる。また、所定の処置済みの損傷においては、その処置内容を容易に把握することができる。
【００７５】
このような本実施形態によれば、例えば、ユーザは、所定の処置が必要な損傷（未処置の損傷）を容易に特定し、今後の処置の計画をスムーズに作成することができる。また、ユーザは、処置済みの損傷や処置内容を容易に特定し、これまでの処置の把握や見直し等をスムーズに行うことができる。
【００７６】
＜第４の実施形態＞
本実施形態の検査結果出力装置１０は、複数の管理単位を互いに識別可能に表示し、所定の条件を満たす損傷が位置する管理単位を強調表示した検査結果画像（管理単位強調パターン）を出力することができる。
【００７７】
本実施形態の検査結果出力装置１０の機能ブロック図の一例は、第１乃至第３の実施形態と同様、図２又は図３で示される。入力受付部１１、出力部１３及び検査結果記憶部２１の構成は第１乃至第３の実施形態と同様である。
【００７８】
画像作成部１２は、複数の管理単位を互いに識別可能に表示し、所定の条件を満たす損傷が位置する管理単位を強調表示する管理単位強調パターンの検査結果画像を作成する。
【００７９】
所定の条件を満たす損傷は、例えば、所定の種類の損傷、大きさが所定値以上の損傷、所定の処置がなされていない損傷、及び、所定の処置がなされた損傷の中のいずれか１つ以上であってもよい。
【００８０】
画像作成部１２は、ここまで説明してきた複数のパターン（時系列変化パターン、強調パターン、特定損傷表示パターン、処置表示パターン、管理単位強調パターン）を任意の組み合わせで組み合わせたパターンの検査結果画像を作成してもよい。
【００８１】
画像作成部１２のその他の構成は、第１乃至第３の実施形態と同様である。
【００８２】
図１７に、管理単位強調パターンの検査結果画像の一例を示す。当該例では、複数の管理単位各々に対応付けて、管理単位ＩＤが示されている。また、所定の条件を満たす損傷が位置する管理単位にのみ斜線を付すことで、強調表示している。強調表示の手法はこれに限定されず、例えば、色や、管理単位ＩＤの文字の表示態様等を用いて、強調表示してもよい。
【００８３】
以上説明した本実施形態によれば、第１乃至第３の実施形態と同様の作用効果を実現できる。
【００８４】
また、本実施形態で説明した管理単位強調パターンによれば、ユーザは、所定の条件を満たす損傷が存在する管理単位や、その数、割合、位置等を容易に把握することができる。結果、ユーザは、容易に、損傷の状況を把握することができる。
【００８５】
以下、参考形態の例を付記する。
１．  建造物を示す画像上に前記建造物に対する検査の結果をマッピングした検査結果画像を出力する出力部と、
表示される内容が互いに異なる前記検査結果画像の複数のパターンの中から１つを指定する入力を受付ける入力受付部と、
前記建造物を複数の管理単位に分割し、前記管理単位毎に、検出された損傷各々の前記管理単位内における位置、前記損傷各々の種類、及び、前記損傷各々が広がるエリアの大きさの中の少なくとも１つを記録した前記検査の結果データを利用して、前記入力受付部が受付けた前記パターンの前記検査結果画像を作成する画像作成部と、
を有し、
前記出力部は、前記画像作成部が作成した前記検査結果画像を出力する検査結果出力装置。
２．  １に記載の検査結果出力装置において、
前記画像作成部は、前記管理単位毎に、異なるタイミングで行われた複数の前記結果データを取得し、
前記検査結果画像の前記パターンの中には、前記検査の結果の時系列な変化を示す時系列変化パターンが含まれる検査結果出力装置。
３．  １又は２に記載の検査結果出力装置において、
前記検査結果画像の前記パターンの中には、検出された前記損傷を検出された位置にマッピングするとともに、所定の条件を満たす前記損傷を強調表示する強調パターンが含まれる検査結果出力装置。
４．  ３に記載の検査結果出力装置において、
前記強調パターンは、所定の種類の前記損傷、又は、前記大きさが所定値以上である前記損傷を強調表示する検査結果出力装置。
５．  ３に記載の検査結果出力装置において、
前記画像作成部は、検出された前記損傷各々に対応付けて前記検査の後に所定の処置がなされたか否かを記録した情報をさらに取得し、
前記強調パターンは、前記所定の処置がなされていない前記損傷、又は、前記所定の処置がなされた前記損傷を強調表示する検査結果出力装置。
６．  １から５のいずれかに記載の検査結果出力装置において、
前記画像作成部は、前記検査の後に所定の処置がなされた前記損傷に対応付けて前記所定の処置の内容を記録した情報をさらに取得し、
前記検査結果画像の前記パターンの中には、前記所定の処置がなされた前記損傷を検出された位置にマッピングするとともに、前記損傷各々に対する前記所定の処置の内容を表示する処置表示パターンが含まれる検査結果出力装置。
７．  １又は２に記載の検査結果出力装置において、
前記検査結果画像の前記パターンの中には、検出された前記損傷の中の所定の条件を満たす前記損傷のみを、検出された位置にマッピングする特定損傷表示パターンが含まれる検査結果出力装置。
８．  １から７のいずれかに記載の検査結果出力装置において、
前記検査結果画像の前記パターンの中には、複数の前記管理単位を互いに識別可能に表示し、所定の条件を満たす前記損傷が位置する前記管理単位を強調表示する管理単位強調パターンが含まれる検査結果出力装置。
９．  １から８のいずれかに記載の検査結果出力装置において、
前記画像作成部は、検出された損傷各々の前記管理単位内における位置を前記管理単位内で左右反転させた前記検査結果画像を作成する検査結果出力装置。
１０．  コンピュータが、
建造物を示す画像上に前記建造物に対する検査の結果をマッピングした検査結果画像を出力する出力工程と、
表示される内容が互いに異なる前記検査結果画像の複数のパターンの中から１つを指定する入力を受付ける入力受付工程と、
前記建造物を複数の管理単位に分割し、前記管理単位毎に、検出された損傷各々の前記管理単位内における位置、前記損傷各々の種類、及び、前記損傷各々が広がるエリアの大きさの中の少なくとも１つを記録した前記検査の結果データを利用して、前記入力受付工程で受付けた前記パターンの前記検査結果画像を作成する画像作成工程と、
を実行し、
前記出力工程では、前記画像作成工程で作成した前記検査結果画像を出力する検査結果出力方法。
１０−２．  １０に記載の検査結果出力方法において、
前記画像作成工程では、前記管理単位毎に、異なるタイミングで行われた複数の前記結果データを取得し、
前記検査結果画像の前記パターンの中には、前記検査の結果の時系列な変化を示す時系列変化パターンが含まれる検査結果出力方法。
１０−３．  １０又は１０−２に記載の検査結果出力方法において、
前記検査結果画像の前記パターンの中には、検出された前記損傷を検出された位置にマッピングするとともに、所定の条件を満たす前記損傷を強調表示する強調パターンが含まれる検査結果出力方法。
１０−４．  １０−３に記載の検査結果出力方法において、
前記強調パターンは、所定の種類の前記損傷、又は、前記大きさが所定値以上である前記損傷を強調表示する検査結果出力方法。
１０−５．  １０−３に記載の検査結果出力方法において、
前記画像作成工程では、検出された前記損傷各々に対応付けて前記検査の後に所定の処置がなされたか否かを記録した情報をさらに取得し、
前記強調パターンは、前記所定の処置がなされていない前記損傷、又は、前記所定の処置がなされた前記損傷を強調表示する検査結果出力方法。
１０−６．  １０から１０−５のいずれかに記載の検査結果出力方法において、
前記画像作成工程では、前記検査の後に所定の処置がなされた前記損傷に対応付けて前記所定の処置の内容を記録した情報をさらに取得し、
前記検査結果画像の前記パターンの中には、前記所定の処置がなされた前記損傷を検出された位置にマッピングするとともに、前記損傷各々に対する前記所定の処置の内容を表示する処置表示パターンが含まれる検査結果出力方法。
１０−７．  １０又は１０−２に記載の検査結果出力方法において、
前記検査結果画像の前記パターンの中には、検出された前記損傷の中の所定の条件を満たす前記損傷のみを、検出された位置にマッピングする特定損傷表示パターンが含まれる検査結果出力方法。
１０−８．  １０から１０−７のいずれかに記載の検査結果出力方法において、
前記検査結果画像の前記パターンの中には、複数の前記管理単位を互いに識別可能に表示し、所定の条件を満たす前記損傷が位置する前記管理単位を強調表示する管理単位強調パターンが含まれる検査結果出力方法。
１０−９．  １０から１０−８のいずれかに記載の検査結果出力方法において、
前記画像作成工程では、検出された損傷各々の前記管理単位内における位置を前記管理単位内で左右反転させた前記検査結果画像を作成する検査結果出力方法。
１１．  コンピュータを、
建造物を示す画像上に前記建造物に対する検査の結果をマッピングした検査結果画像を出力する出力手段、
表示される内容が互いに異なる前記検査結果画像の複数のパターンの中から１つを指定する入力を受付ける入力受付手段、
前記建造物を複数の管理単位に分割し、前記管理単位毎に、検出された損傷各々の前記管理単位内における位置、前記損傷各々の種類、及び、前記損傷各々が広がるエリアの大きさの中の少なくとも１つを記録した前記検査の結果データを利用して、前記入力受付手段が受付けた前記パターンの前記検査結果画像を作成する画像作成手段、
として機能させ、
前記出力手段に、前記画像作成手段が作成した前記検査結果画像を出力させるプログラム。
１１−２．  １１に記載のプログラムにおいて、
前記画像作成手段に、前記管理単位毎に、異なるタイミングで行われた複数の前記結果データを取得させ、
前記検査結果画像の前記パターンの中には、前記検査の結果の時系列な変化を示す時系列変化パターンが含まれるプログラム。
１１−３．  １１又は１１−２に記載のプログラムにおいて、
前記検査結果画像の前記パターンの中には、検出された前記損傷を検出された位置にマッピングするとともに、所定の条件を満たす前記損傷を強調表示する強調パターンが含まれるプログラム。
１１−４．  １１−３に記載のプログラムにおいて、
前記強調パターンは、所定の種類の前記損傷、又は、前記大きさが所定値以上である前記損傷を強調表示するプログラム。
１１−５．  １１−３に記載のプログラムにおいて、
前記画像作成手段に、検出された前記損傷各々に対応付けて前記検査の後に所定の処置がなされたか否かを記録した情報をさらに取得させ、
前記強調パターンは、前記所定の処置がなされていない前記損傷、又は、前記所定の処置がなされた前記損傷を強調表示するプログラム。
１１−６．  １１から１１−５のいずれかに記載のプログラムにおいて、
前記画像作成手段に、前記検査の後に所定の処置がなされた前記損傷に対応付けて前記所定の処置の内容を記録した情報をさらに取得させ、
前記検査結果画像の前記パターンの中には、前記所定の処置がなされた前記損傷を検出された位置にマッピングするとともに、前記損傷各々に対する前記所定の処置の内容を表示する処置表示パターンが含まれるプログラム。
１１−７．  １１又は１１−２に記載のプログラムにおいて、
前記検査結果画像の前記パターンの中には、検出された前記損傷の中の所定の条件を満たす前記損傷のみを、検出された位置にマッピングする特定損傷表示パターンが含まれるプログラム。
１１−８．  １１から１１−７のいずれかに記載のプログラムにおいて、
前記検査結果画像の前記パターンの中には、複数の前記管理単位を互いに識別可能に表示し、所定の条件を満たす前記損傷が位置する前記管理単位を強調表示する管理単位強調パターンが含まれるプログラム。
１１−９．  １１から１１−８のいずれかに記載のプログラムにおいて、
前記画像作成手段に、検出された損傷各々の前記管理単位内における位置を前記管理単位内で左右反転させた前記検査結果画像を作成させるプログラム。
【符号の説明】
【００８６】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    通信部
９Ａ    補助記憶装置
１０Ａ  バス
１０    検査結果出力装置
１１    入力受付部
１２    画像作成部
１３    出力部
２０    外部装置
２１    検査結果記憶部
１００  ウインドウ
１１０  検査結果画像
１１１  強調表示
１１２  付加情報
１２０  付加画像
１２１  枠
Ａ      部材
Ｂ      管理単位
【図１】
2016126769.tif 000003
【図２】
2016126769.tif 000004
【図３】
2016126769.tif 000005
【図４】
2016126769.tif 000006
【図５】
2016126769.tif 000007
【図６】
2016126769.tif 000008
【図７】
2016126769.tif 000009
【図８】
2016126769.tif 000010
【図９】
2016126769.tif 000011
【図１０】
2016126769.tif 000012
【図１１】
2016126769.tif 000013
【図１２】
2016126769.tif 000014
【図１３】
2016126769.tif 000015
【図１４】
2016126769.tif 000016
【図１５】
2016126769.tif 000017
【図１６】
2016126769.tif 000018
【図１７】
2016126769.tif 000019